(57)【要約】【課題】両スライドコアの連結を容易に行うことができ、しかも、アンダカット型に移動方向以外の力が作用しないようにして、成型品の良好な精度を維持すること。【解決手段】両スライドコア２，４の連結部１０，１１に第２スライドコア４のみが単独で移動しうる間隙を形成し、アンギュラピン７を移動する際のスライドコア組立体１の移動方向以外の力をアンギュラピン用通路６を有している第２スライドコア４のみに作用するようにしたもの。【選択図】      図１
2004181869.tif 000002
【特許請求の範囲】
【請求項１】
アンダカット型を支持する第１スライドコアと、この第１スライドコアに連結された第２スライドコアとによりスライドコア組立体を形成し、前記第２スライドコアに両スライドコアの移動方向に対し傾斜配置されているピン用通路を穿設し、このピン用通路にアンギュラピンをその長手方向に移動可能に挿入し、前記アンギュラピンをスライドコア組立体の移動方向に対し直角方向に移動させることにより前記スライドコア組立体を移動するようにしたスライドコア組立体移動構造であって、
前記両スライドコアの連結部に前記第２スライドコアのみが単独で移動しうる間隙を形成したことを特徴とするスライドコア組立体移動構造。
【請求項２】
前記連結部を相互に補形をなして嵌合する凸部および凹部により構成したことを特徴とする請求項１に記載のスライドコア組立体移動構造。
【発明の詳細な説明】
【０００１】
【発明の属する技術分野】
本発明は、部品などの成形品を金型により成形する際、アンダカット形状を形成するのに使用されるスライドコア組立体を移動させるスライドコア組立体移動構造に係り、特に、アンギュラピンを用いてスライドコア組立体を移動させるスライドコア組立体移動構造に関する。
【０００２】
【従来の技術】
部品などの金型成形においては、金型の可動型を固定型から開くのみでは外すことのできないアンダカット形状がある。このようなアンダカット形状を含む成形品を成形するためには、前述した可動型および固定型のほか、アンダカット形状に対応するアンダカット型を設け、このアンダカット型を前記可動型および固定型に対し進退するように移動可能とされたスライドコア組立体の先端に支持していた。このスライドコア組立体を移動させるために従来からアンギュラピンが用いられていた（例えば特許文献１参照）。
【０００３】
このアンギュラピンによりスライドコア組立体を移動させる従来の構造を図３および図４により説明する。
【０００４】
スライドコア組立体１は、先端にアンダカット型３が突設されているほぼ直方体形状の第１スライドコア２と、この第１スライドコア２の背部に位置しているほぼ直方体形状の第２スライドコア４とにより構成されている。これらの両スライドコア２，４は、両者間に螺着されている連結ボルト５により一体的にされている。
【０００５】
前記スライドコア組立体１は、図４に両矢印で示す方向に往復動されるようになっているが、このため前記第２スライドコア４には、スライドコア組立体１の移動方向に対し鉛直面内において傾斜するように形成された横断面円形状のピン用通路６が穿設されている。このピン用通路６は、その上端開口６Ａが下端開口６Ｂより前記第１スライドコア２に近い位置に形成されている。そして、このピン用通路６には、ほぼ円柱形状のアンギュラピン７が挿通されるようになっており、このアンギュラピン７をスライドコア組立体１の移動方向に対し直角方向に移動させることにより前記スライドコア組立体１が前記両矢印方向に往復動されることになる。すなわち、前記アンギュラピン７を上昇させれば、図４において右方に移動し、逆に、前記アンギュラピン７を下降させれば、図４において左方に移動することになる。
【０００６】
【特許文献】
特開２００２−２１０７９０号公報（段落００１２、図１）
【０００７】
【発明が解決しようとする課題】
ところで、前述した従来のスライドコア組立体移動構造においては、両スライドコア２，４が連結ボルト５により一体化されており、また、アンギュラピン７の移動方向はスライドコア組立体１の移動方向に対し直交する方向なので、アンギュラピン７を移動させることによりスライドコア組立体１の全体に上下方向の力が作用する。このため、アンギュラピン７を上方に引き抜いてアンダカット型３を引き抜く際に、アンダカット型３に上下方向の力が作用する。ところで、アンダカット型３には、可動型および固定型との間に摺動クリアランスがあるが、前述したアンダカット型３に作用する上下方向の力により摺動バランスが崩れ、動作不良やかじり現象の生じるおそれがあった。また、アンダカット型３が上下方向に移動することにより、成型品の精度が落ちるおそれもあった。
【０００８】
一方、前記両スライドコア２，４を連結ボルト５により連結する際に、両スライドコア２，４の各表面を面一となるように調整する手間が掛かっていた。
【０００９】
本発明は、このような従来のものにおける問題点を克服し、両スライドコアの連結を容易に行うことができ、しかも、アンダカット型に移動方向以外の力が作用しないようにして、成型品の良好な精度を維持できるようにしたスライドコア組立体移動構造を提供することを目的としている。
【００１０】
【課題を解決するための手段】
前述した目的を達成するため本発明のスライドコア組立体移動構造の特徴は、両スライドコアの連結部に第２スライドコアのみが単独で移動しうる間隙を形成した点にある。そして、このような構成を採用したことにより、アンギュラピンを移動する際のスライドコア組立体の移動方向以外の力はこのアンギュラピン用通路を有している第２スライドコアのみに作用することになる。
【００１１】
本発明の他のスライドコア組立体移動構造の特徴は、スライドコアの連結部を相互に補形をなして嵌合する凸部および凹部により構成したので、格別の位置決めなどをせずとも両スライドコアを簡単に連結することができる。
【００１２】
【発明の実施の形態】
図１および図２は本発明の実施形態を示すものであるが、前述した従来のものと同一あるいは相当する構成については、図面中に同一の符号を付して説明する。
【００１３】
スライドコア組立体１は、先端にアンダカット型３が突設されているほぼ直方体形状の第１スライドコア２と、この第１スライドコア２の背部に位置しているほぼ直方体形状の第２スライドコア４とにより構成されている。
【００１４】
前記スライドコア組立体１は、図３および図４に示した従来のものと同様、図２に両矢印で示す方向に往復動されるようになっているが、このため前記第２スライドコア４には、スライドコア組立体１の移動方向に対し鉛直面内において傾斜するように形成された横断面円形状のピン用通路６が穿設されている。このピン用通路６は、その上端開口６Ａが下端開口６Ｂより前記第１スライドコア２に近い位置に形成されている。そして、このピン用通路６には、ほぼ円柱形状のアンギュラピン７が挿通されるようになっており、このアンギュラピン７をスライドコア組立体１の移動方向に対し直角方向に移動させることにより前記スライドコア組立体１が前記両矢印方向に往復動されることになる。すなわち、前記アンギュラピン７を上昇させれば、図２において右方に移動し、逆に、前記アンギュラピン７を下降させれば、図２において左方に移動することになる。
【００１５】
前記第１スライドコア２の背部には、上下方向に貫通し内部に平面視ほぼ長方形状の拡開部が設けられている平面視ほぼＴ字形状の凹部１０が左右における中央部に形成されている。一方、この第１スライドコア２の凹部１０に対向する前記第２スライドコア４の前部の左右における中央部には、前記第１スライドコア２の凹部１０の補形をなし、この凹部１０に嵌合しうるＴ字形状の凸部１１が突設されている。
【００１６】
前記第１スライドコア２の前記凹部１０に対し前記第２スライドコア４の前記凸部１１は、全体的に若干寸法を小さく形成されており、前記凹部１０に前記凸部１１を嵌合したとき、微小間隙をもって遊嵌されるようになっている。この結果、アンギュラピン７を用いて、第２スライドコア４を移動させると、第１スライドコア２は、第２スライドコア４より間隙分遅れて移動を開始することになる。
【００１７】
つぎに、前述した構成からなる本発明の実施形態の作用について説明する。
【００１８】
アンギュラピン７を上昇させると、ピン用通路６が形成されている第２スライドコア４は図２において右方に移動するが、このとき第２スライドコア４にはアンギュラピン７より上向きの力が作用する。このアンギュラピン７による上向きの力は、図２に示すように、この第２スライドコア４を多少浮上させる。
【００１９】
ところで、前記第１スライドコア２の凹部１０と前記第２スライドコア４の凸部１１とは微小間隙をもって遊嵌されているので、アンギュラピン７による上向きの力が生じても前記第１スライドコア２は、その位置に停止した状態を維持する。その後、さらに前記第２スライドコア２が右方向に移動すると、前記第１スライドコア２も右方向へ従動することになる。
【００２０】
図１および記載されている符号ａは、両スライドコア２，４の前進時の微小間隙を示し、符号ｂは、両スライドコア２，４の後退時の微小間隙を示している。また、図２に記載されている符号ｃは、第２スライドコア４の上下方向の単独移動量を示している。
【００２１】
よって、本実施形態によれば、前記第１スライドコア２には前記アンギュラピン７からの上下方向の力は伝達されないので、第１スライドコア２は安定的に水平方向にのみ移動することになる。この結果、第１スライドコア２に突設されているアンダカット型３も水平方向にのみ安定的に移動するので、摺動バランスが崩れるおそれがない。この結果、動作不良やかじり現象の生じるおそれがなく、成型品の良好な精度を維持することができる。
【００２２】
また、前記両スライドコア２，４は単に凹部１０と凸部１１とを嵌合するのみで連結されるので、きわめて容易に両スライドコア２，４を連結することができる。
【００２３】
なお、本発明は、前述した実施形態に限定されるものではなく、必要に応じて種々の変更が可能である。例えば、ピン用通路は、実施形態に示した貫通孔ではなく有底穴であってもよい。また、両スライドコアの連結は、第２スライドコアのみが最初に単独で移動できれば、実施形態において説明した凹部および凸部を嵌合させる構成に限らず、ユニバーサルジョイントその他の構成であってもよい。さらに、実施形態においては第２スライドコアに凸部を突設し、第１スライドコアに凹部を形成したが、逆に、第１スライドコアに凸部を突設し、第２スライドコアに凹部を形成してもよい。
【００２４】
【発明の効果】
以上説明したように本発明によれば、両スライドコアの連結を容易に行うことができ、しかも、アンダカット型に移動方向以外の力が作用しないようにして、成型品の良好な精度を維持することができる。
【００２５】
すなわち、両スライドコアの連結部に第２スライドコアのみが単独で移動しうる間隙を形成したので、アンギュラピンを移動する際のスライドコア組立体の移動方向以外の力はこのアンギュラピン用通路を有している第２スライドコアのみに作用することになり、この結果、第１スライドコアに突設されているアンダカット型に移動方向以外の力が作用しないようにして、成型品の良好な精度を維持することができる。また、両スライドコアにおける平坦度の調整も必要ない。
【００２６】
さらに、スライドコアの連結部を相互に補形をなして嵌合する凸部および凹部により構成すれば、格別の位置決めなどをせずとも両スライドコアを簡単に連結することができる。
【図面の簡単な説明】
【図１】本発明に係るスライドコア組立体移動構造の実施形態を示す平面図
【図２】図１の側面図
【図３】従来のスライドコア組立体移動構造を示す平面図
【図４】図３の側面図
【符号の説明】
１  スライドコア組立体
２  第１スライドコア
３  アンダカット型
４  第２スライドコア
５  連結ボルト
６  ピン用通路
７  アンギュラピン
１０    第１スライドコア２の凹部
１１  第２スライドコア４の凸部
【図１】
2004181869.tif 000003
【図２】
2004181869.tif 000004
【図３】
2004181869.tif 000005
【図４】
2004181869.tif 000006